(57)【要約】【課題】滅菌処理及びメンテナンスを必要とする歯科用治療器具等の歯科用治療器材の配送システムを提供する。【解決手段】歯科用の治療器材２を滅菌及び／又は保守点検する業者３と歯科医院４との間において、前記歯科医院４に配送する前記治療器材２に必要な処置を行う治療器材処置手段と、前記治療器材処置手段が処置した前記治療器材２をパッケージ内に封止したパック６を作成するパック作成手段と、前記治療器材２をパッケージ内に封止した前記パック６を前記歯科医院４に配送する治療器材配送手段と、前記歯科医院４から使用済み及び／又は使用期限が過ぎた前記治療器材２を前記業者３に回収する治療器材回収手段と、を備えたことを特徴とする歯科用治療器材の配送システム１である。【選択図】図１
2010092145.tif 000002
【特許請求の範囲】
【請求項１】
歯科用の治療器材を滅菌及び／又は保守点検する業者と歯科医院との間において、
前記歯科医院の電子カルテの情報から、治療内容で使用する前記治療器材の種類と数を予め選定する治療器材選定手段と、
前記治療器材選定手段が選定した前記治療器材の種類と数の情報を含む手配情報を作成する手配情報作成手段と、
前記手配情報を前記業者の情報端末装置に配信する情報配信手段と、
前記歯科医院に配送する前記治療器材に必要な処置を行う治療器材処置手段と、
前記治療器材処置手段が処置した前記治療器材をパッケージ内に封止したパックを作成するパック作成手段と、
前記治療器材をパッケージ内に封止した前記パックを前記歯科医院に配送する治療器材配送手段と、
前記歯科医院から使用済み及び／又は使用期限が過ぎた前記治療器材を前記業者に回収する治療器材回収手段と、
を備えたことを特徴とする歯科用治療器材の配送システム。
【請求項２】
前記パックは、開封すると、再封止できないパックであることを特徴とする請求項１に記載の歯科用治療器材の配送システム。
【請求項３】
前記パックは、前記治療器材の使用期限を表示したパックであることを特徴とする請求項１又は請求項２に記載の歯科用治療器材の配送システム。
【請求項４】
前記治療器材が、前記歯科医院の所有物であることを特徴とする請求項１から請求項３のいずれか１項に記載の歯科用治療器材の配送システム。
【請求項５】
前記治療器材が、前記業者の所有物であることを特徴とする請求項１から請求項３のいずれか１項に記載の歯科用治療器材の配送システム。
【発明の詳細な説明】
【技術分野】
【０００１】
本発明は、歯科用治療器材の配送システムに関する。
【背景技術】
【０００２】
近年、歯科用治療器具、例えば、ハンドピース等は、治療に用いる前に滅菌処理が行われている。また、これらの歯科用治療器具は、定期的にメンテナンス（保守点検）が行われている。
【０００３】
このような歯科用医療器具の滅菌処理及びメンテナンスは、各歯科医院内で行われている。例えば、各歯科医院に滅菌器（オートクレーブ装置）を設置しておき、当該滅菌器にて歯科用治療器具の滅菌処理が行われている。
【０００４】
また、医療器具等の流通（物流）システムが知られている（特許文献１から特許文献４参照）。
【０００５】
特許文献１に記載の技術は、医療施設における煩雑な手続きを軽減し、容易に再利用可能であって医療機器に適用可能である使い捨て医療器具を発注することのできる使い捨て医療器具の流通システムを提供するものである。
【０００６】
特許文献２に記載の技術は、医療材の保管、充填にかかる病院の負担を軽減することができる医療材の物流サービス方法及びその物流サービスシステムを提供するものである。
【０００７】
特許文献３に記載の技術は、医療機関で使用される医療用品の医療情報管理を容易に行うこと、特に透析治療に関する医療情報管理を行うシステムを提供するものである。
【０００８】
特許文献４に記載の技術は、最小限の薬品の保存量で毎日の患者から要求される医薬品の要求に対応でき、かつ低額の資本で調剤薬局店を運営できる薬品の物流システムを提供するものである。
【０００９】
【特許文献１】特開２００６−２６０２６１号公報
【特許文献２】特開２００５−１７９０１６号公報
【特許文献３】特開２００３−００６３３１号公報
【特許文献４】特開２００３−０９５４３９号公報
【発明の開示】
【発明が解決しようとする課題】
【００１０】
しかしながら、歯科用治療器具の滅菌処理（滅菌）及びメンテナンス（保守点検）を各歯科医院内で行っていることから、各歯科医院では、歯科用治療器具の滅菌処理及びメンテナンスに手間が取られている。また、歯科用治療器具の滅菌処理を行う滅菌器等を、各歯科医院内に設置しなければならない。
【００１１】
また、特許文献１から特許文献４に記載の技術は、滅菌処理及びメンテナンスを必要とする歯科用治療器具を歯科医院に配送する配送システムではない。
【００１２】
そこで、本発明は、滅菌処理及びメンテナンスを必要とする歯科用治療器具等の歯科用治療器材の配送システムを提供することを課題とする。
【課題を解決するための手段】
【００１３】
前記課題を解決するための手段として、本発明は、歯科用の治療器材を滅菌及び／又は保守点検する業者と歯科医院との間において、前記歯科医院の電子カルテの情報から、治療内容で使用する前記治療器材の種類と数を予め選定する治療器材選定手段と、前記治療器材選定手段が選定した前記治療器材の種類と数の情報を含む手配情報を作成する手配情報作成手段と、前記手配情報を前記業者の情報端末装置に配信する情報配信手段と、前記歯科医院に配送する前記治療器材に必要な処置を行う治療器材処置手段と、前記治療器材処置手段が処置した前記治療器材をパッケージ内に封止したパックを作成するパック作成手段と、前記治療器材をパッケージ内に封止した前記パックを前記歯科医院に配送する治療器材配送手段と、前記歯科医院から使用済み及び／又は使用期限が過ぎた前記治療器材を前記業者に回収する治療器材回収手段と、を備えたことを特徴とする歯科用治療器材の配送システムである。
【００１４】
このような歯科用治療器材の配送システムによれば、歯科医院に配送する治療器材に必要な処置を行う治療器材処置手段を備えることによって、歯科医院では、治療器材に必要な処置、例えば、滅菌処理やメンテナンスを行わなくてよい。このように歯科医院において必要な処置を行わなくてよいことから、歯科医院で必要な処置を行う手間が省かれ、歯科医院における診察効率が向上する。また、必要な処置を行う装置を歯科医院に設置しなくてよいことから、歯科医院の省スペース化が図られる。
【００１５】
また、治療器材処置手段が処置した治療器材をパッケージ内に封止したパックを作成するパック作成手段と、治療器材をパッケージ内に封止したパックを歯科医院に配送する治療器材配送手段と、を備えることによって、歯科医院には、常に必要な処置がされた歯科用治療器材が配送されることから、歯科医院では、院内感染・医療事故を心配せずに、安心して歯科用治療器材を使用することができる。更に、この歯科用治療器材の配送システムが、世の中に周知され、また、歯科医院が、この歯科用治療器材の配送システムの導入をアピールすることによって、患者が、院内感染・医療事故の起こりにくい歯科医院であると考え、安心して治療を受けることができる。
【００１６】
また、歯科医院から使用済み及び／又は使用期限が過ぎた治療器材を業者に回収する治療器材回収手段を備えることによって、各歯科医院が高価な医療器具である当該歯科用治療器具を直接購入することなく、業者が所有する歯科用治療器具を使用することができ、各歯科医院は、安価で安全な歯科用治療器具を使用することができる。
【００１７】
また、前記パックは、開封すると、再封止できないパックであることを特徴とする歯科用治療器材の配送システムである。
【００１８】
このような歯科用治療器材の配送システムによれば、パックが、開封すると、再封止できないパックであることから、歯科医院が治療器材を使用するときに、治療器材が滅菌済みのままのものであるか否かを容易に判断することができ、歯科医院は、安全な治療器材を使用することができる。
【００１９】
また、前記パックは、前記治療器材の使用期限を表示したパックであることを特徴とする歯科用治療器材の配送システムである。
【００２０】
このような歯科用治療器材の配送システムによれば、パックが、治療器材の使用期限を表示したパックであることから、使用期限が過ぎたパックは治療器材回収手段が自動的に回収し、また、使用期限が表示されていることで、歯科医院において、使用期限が過ぎた治療器材が使用されず、使用期限内の安全な治療器材だけが使用される。
【００２１】
また、前記治療器材が、前記歯科医院の所有物であることを特徴とする歯科用治療器材の配送システムである。
【００２２】
このような歯科用治療器材の配送システムによれば、治療器材が、歯科医院の所有物であることから、歯科医院所有の使い慣れた治療器材を、業者が必要な処置、例えば、保守点検や耐用年数管理に伴う消耗部品の交換を行ってくれるので、歯科医院では、常に安心して、安全な治療器材を使用することができる。
【００２３】
また、前記治療器材が、前記業者の所有物であることを特徴とする歯科用治療器材の配送システムである。
【００２４】
このような歯科用治療器材の配送システムによれば、治療器材が、業者の所有物であることから、例えば、ハンドピースのような高価な治療器具等を複数の歯科医院で共有することができ、各歯科医院は、低価格で安全な治療器具等を使用することができる。
【発明の効果】
【００２５】
本発明によれば、滅菌処理及びメンテナンスを必要とする歯科用治療器具等の歯科用治療器材の配送システムを提供することができる。
【発明を実施するための最良の形態】
【００２６】
本発明の一実施形態について、図１及び図２を参照して説明する。
【００２７】
≪歯科用治療器材の配送システムの構成≫
図１に示す本実施形態に係る歯科用治療器材の配送システム１は、歯科用の治療器材を滅菌及び／又は保守点検する業者と歯科医院との間において、前記歯科医院の電子カルテの情報から、治療内容で使用する前記治療器材の種類と数を予め選定する治療器材選定手段と、前記治療器材選定手段が選定した前記治療器材の種類と数の情報を含む手配情報を作成する手配情報作成手段と、前記手配情報を前記業者の情報端末装置に配信する情報配信手段と、前記歯科医院に配送する前記治療器材に必要な処置を行う治療器材処置手段と、前記治療器材処置手段が処置した前記治療器材をパッケージ内に封止したパックを作成するパック作成手段と、前記治療器材をパッケージ内に封止した前記パックを前記歯科医院に配送する治療器材配送手段と、前記歯科医院から使用済み及び／又は使用期限が過ぎた前記治療器材を前記業者に回収する治療器材回収手段と、を備えている。それぞれの手段等について、以下で詳細に説明する。
【００２８】
歯科用の治療器材２とは、歯科治療のための治療器具、治療材料及び治療機材である。
具体的に、治療器具とは、滅菌が必要な駆動源を持つ歯科用インスツルメント、例えば、エアタービンやマイクロモータ等のハンドピース、及び滅菌が必要な駆動源を持たないインスツルメント、例えば、ミラー、ピンセット、エクスプローラ、排唾管等である。
また、具体的に、治療材料とは、ガッタパーチャポイント、根管治療用材料、仮封材、裏装履罩材、小窩裂溝封鎖材、光重合型コンポジットレジン、コンポジットレジン、レジン表面滑沢材、光重合型硬質レジン、コンポマー、リベース材、ティッシュコンディショナー、マージンコントロール、圧拝コード、寒天印象材、アルギン酸印象材、シリコーン印象材、印象材、歯肉パック、注射針である。
また、具体的に、治療機材とは、教育用ユニット、歯科用レーザ、歯科用口腔内カメラである。
【００２９】
業者３とは、（滅菌）工場で歯科用の治療器材を滅菌処理する滅菌業者、工場で歯科用の治療器材をメンテナンス（保守点検）するメンテナンス業者である。なお、歯科用の治療器材を製造する製造業者が、歯科用の治療器材の滅菌処理及びメンテナンスまでを行う場合には、当該業者とは、歯科用の治療器材の製造業者である。
【００３０】
歯科医院４は、図１では、一つの歯科医院から構成されているが、複数の歯科医院から構成されてもよい。
【００３１】
治療器材選定手段は、歯科医院４の電子カルテの情報から、治療内容で使用する治療器材２の種類と数を予め選定する手段であって、歯科医院４に設置されている情報端末装置４１から構成されている。この情報端末装置４１は、入力装置４１ａ、制御装置４１ｂ、通信装置４１ｃ等を有している。これら入力装置４１ａ、通信装置４１ｃ等と制御装置４１ｂとは、それぞれ接続している。この入力装置４１ａ（キーボード等）から、図示しない電子カルテに治療内容を入力することによって、制御装置４１ｂが、その電子カルテの情報から、治療内容で使用する治療器材２の種類と数を予め選定する機能を備えている。
制御装置４１ｂには、治療内容の各工程（流れ）及びその各工程で使用される治療器材２の種類と数から構成されるデータベースと、そのデータベースから治療内容で使用する治療器材２の種類と数を予め選定するプログラムと、が格納されている。
なお、治療内容の各工程（流れ）及びその各工程で使用される治療器材２の種類と数は、予め、歯科医院４の治療形態に合わせて、入力装置４１ａ（キーボード等）からデータベースに登録することができる。
【００３２】
手配情報作成手段は、前記治療器材選定手段が選定した治療器材２の種類と数の情報を含む手配情報を作成する手段であって、歯科医院４に設置されている情報端末装置４１から構成されている。この情報端末装置４１の制御装置４１ｂは、歯科医院４の電子カルテの情報から、治療内容で使用する治療器材２の種類と数を予め選定するのと同時に治療器材２の種類と数の情報を含む手配情報を作成する機能を備えている。なお、手配情報とは、治療器材２の種類と数の情報の他に納品日等の情報を含むものである。
具体的に、納品日は次回診察予約の情報から決定され、次回の診察までに間に合うように設定される。次回診察予約の情報は、歯科医院４の受付にある診療予約システム（図示しない）や情報端末装置４１の入力装置４１ａから、電子カルテに入力され、電子カルテの情報に格納されている。
【００３３】
情報配信手段は、手配情報を業者３の情報端末装置３１に配信する手段であって、歯科医院４に設置されている情報端末装置４１とネットワーク５（インターネット）から構成されている。この情報端末装置４１の制御装置４１ｂが、前記手配情報作成手段が作成した手配情報を、情報端末装置４１の通信装置４１ｃとネットワーク５を介して、業者３の情報端末装置３１に配信する機能を備えている。この情報端末装置３１と情報端末装置４１は、ネットワーク５を介して、接続している。なお、情報端末装置４１の通信装置４１ｃは、情報端末装置４１が、ネットワーク５（インターネット）等と送受信を可能にする機能を備えている。また、業者３の情報端末装置３１も、入力装置、制御装置、通信装置等（図示しない）を有している。
【００３４】
治療器材処置手段は、歯科医院４に配送する治療器材２に必要な処置を行う手段であって、必要な処置を行うための処置装置３２、例えば、滅菌処理を行うための滅菌器等から構成されている。その他、必要な処置とは、保守点検（メンテナンス）、耐用年数管理及び保守点検や耐用年数管理に伴う消耗部品の交換である。なお、消耗部品とは、具体的に、歯科用エアタービンのヘッド内に収納するカートリッジである。
【００３５】
パック作成手段は、前記治療器材処置手段が処置した治療器材２をパッケージ内に封止したパック６を作成する手段であって、パック６から構成されている。このパック６は、開封すると、再封止できない構造となっている。また、パック６は、治療器材２の使用期限が表示されている。
【００３６】
治療器材配送手段は、治療器材２をパッケージ内に封止した前記パック６を歯科医院４に配送する手段であって、配送車７から構成されている。
治療器材回収手段は、歯科医院４から使用済み及び／又は使用期限が過ぎた治療器材２を業者３に回収する手段であって、回収車８から構成されている。
なお、配送車７が、回収車８を兼ねてもよい。
本実施形態では、治療器材配送手段及び治療器材回収手段を、トラック等からなる配送車７及び回収車８としたが、それに限定されるものではなく、例えば、自動二輪車等の、治療器材２を配送・回収できる輸送機関であればよい。また、宅配便等の宅配業者に委託してもよい。
【００３７】
≪歯科用治療器材の配送システムの動作≫
次に、歯科用治療器材の配送システム１の動作について、図２を主に参照しながら説明する。
【００３８】
ステップＳ１において、歯科医院４に設置されている情報端末装置４１の入力装置４１ａ(キーボード等)から、電子カルテに治療内容を入力することによって、情報端末装置４１の制御装置４１ｂが、歯科医院４の電子カルテの情報から、自動的に次回の治療内容で使用する治療器材２の種類と数を予め選定する。
治療器材２の種類と数は、入力装置４１ａ（キーボード等）から、情報端末装置４１に直接入力してもよい。
なお、電子カルテに治療内容を入力する方法としては、入力装置４１ａ（キーボード等）から、直接入力する方法と、予め用意されている複数の処置内容から選択する方法と、今回の治療内容から次回の治療内容を予測して自動的に入力する方法と、がある。
また、治療内容で使用する治療器材２の種類と数を予め選定することができるのは、次回の治療内容に限定されるものではなく、治療（診察）スケジュールが決まっていれば、それに合わせた治療器材２の種類と数を予め選定することができる。
【００３９】
ステップＳ２において、歯科医院４に設置されている情報端末装置４１の制御装置４１ｂが、歯科医院４の電子カルテの情報から、次回の治療内容で使用する治療器材２の種類と数を予め選定するのと同時に治療器材２の種類と数の情報を含む手配情報を作成する。手配情報とは、治療器材２の種類と数の情報の他に納品日等の情報を含むものである。
なお、この手配情報に含まれる治療器材２の種類と数の情報は、患者単位又は治療内容単位とした次回の治療内容で使用する治療器材２の種類と数の情報である。
当該手配情報は、入力装置４１ａから、情報端末装置４１に納品日等を直接入力しても作成することができる。
【００４０】
ステップＳ３において、歯科医院４に設置されている情報端末装置４１の制御装置４１ｂが、治療器材２の種類と数の情報を含む手配情報を、情報端末装置４１の通信装置４１ｃとネットワーク５（インターネット）を介して、業者３の情報端末装置３１に配信する。
【００４１】
ステップＳ４において、歯科医院４からの手配情報を受信した業者３は、必要な処置を行うための処置装置３２、例えば、滅菌処理を行うための滅菌器等を用いて、歯科医院４に配送する治療器材２に必要な処置を行う。必要な処置とは、滅菌処理、保守点検（メンテナンス）、耐用年数管理及び保守点検や耐用年数管理に伴う消耗部品の交換である。
なお、ここでの必要な処置には、後記する回収した治療器材２が、再度、歯科医院４に配送できるようにするための処置が含まれる。
【００４２】
ステップＳ５において、業者３が、処置した治療器材２をパッケージ内に封止したパック６を作成する。このパック６とは、治療器具である滅菌が必要なインスツルメントをパッケージ内に封止した滅菌パックと、治療材料と、治療機材と、をパッケージ内に封止したパックである。
詳細に説明すると、滅菌パックとは、業者３が（必要に応じて保守点検を行った後に）滅菌処理を行った治療器具（インスツルメント）を、開封すると、再封止できないパックに封止したパックである。
また、パック６とは、患者の治療内容に合わせて使用する滅菌パック及び／又は、治療材料及び／又は、治療機材をパッケージ内に封止したパックであって、パック６の中は、滅菌パックだけからなる場合と、治療材料及び／又は治療機材だけからなる場合と、滅菌パックと治療材料及び／又は治療機材とからなる場合と、滅菌パックとパック（例えば、治療材料等をパッケージ内に封止したパック）とからなる場合と、がある。
このパック６は、開封すると、再封止できない構造となっている。また、パック６は、治療器材２の使用期限が表示されている。
なお、滅菌パック及びパック６内の治療器材２の種類は、手配情報に基づいて、組み替え可能である。
【００４３】
ステップＳ６において、業者３が、配送車７を用いて、治療器材２をパッケージ内に封止したパック６を歯科医院４に配送する。
【００４４】
ステップＳ７において、業者３が、歯科医院４に治療器材２を配送する際に、回収車８を用いて、歯科医院４から使用済み及び／又は使用期限が過ぎた治療器材２（パック６も含む）を業者３に回収する。この場合、回収車８と配送車７は、同一の車である。
なお、治療器材２の治療器具と治療機材（治療材料は消耗品であるので除く）は、歯科医院４所有のものに限定されるのではなく、業者３所有のものであってよい。
その後、歯科用治療器材の配送システム１の動作は、終了する。
【００４５】
≪歯科用治療器材の配送システムの効果≫
このような歯科用治療器材の配送システム１によれば、以下の効果を得ることができる。
（１）業者３が処置装置３２を用いて必要な処置を行った治療器材２が歯科医院４に配送されることによって、歯科医院４では、治療器材２に必要な処置、例えば、滅菌処理やメンテナンスを行わなくてよい。このように歯科医院４において必要な処置を行わなくてよいことから、歯科医院４で必要な処置を行う手間が省かれ、歯科医院４における診察効率が向上する。また、処置装置３２を歯科医院４に設置しなくてよいことから、歯科医院４の省スペース化が図られる。
（２）必要な処置を行った治療器材２をパッケージ内に封止したパック６が歯科医院４に配送されることによって、歯科医院４には、常に必要な処置がされた歯科用の治療器材２が配送されることから、歯科医院４では、院内感染・医療事故を心配せずに、安心して歯科用の治療器材２を使用することができる。更に、この歯科用治療器材の配送システム１が、世の中に周知され、また、歯科医院４が、この歯科用治療器材の配送システム１の導入をアピールすることによって、患者が、院内感染・医療事故の起こりにくい歯科医院４であると考え、安心して治療を受けることができる。
（３）歯科医院４から使用済み及び／又は使用期限が過ぎた治療器材２が業者３に回収されることによって、各歯科医院４が高価な医療器具である当該歯科用治療器具を直接購入することなく、業者３が所有する歯科用治療器具を使用することができ、各歯科医院４は、安価で安全な歯科用治療器具を使用することができる。
（４）パック６が、開封すると、再封止できないパックであることから、歯科医院４が治療器材２を使用するときに、治療器材２が滅菌済みのままのものであるか否か等を容易に判断することができ、歯科医院４は、安全な治療器材２を使用することができる。
（５）パック６が、治療器材２の使用期限を表示したパックであることから、使用期限が過ぎたパック６は、自動的に業者３に回収され、また、使用期限が表示されていることで、歯科医院４において、使用期限が過ぎた治療器材２は使用されず、使用期限内の安全な治療器材２だけが使用される。
（６）治療器材２が、歯科医院４の所有物であることから、歯科医院４所有の使い慣れた治療器材２を、業者３が必要な処置、例えば、保守点検や耐用年数管理に伴う消耗部品の交換を行ってくれるので、歯科医院４では、常に安心して、安全な治療器材２を使用することができる。
（７）治療器材２が、業者３の所有物であることから、例えば、ハンドピースのような高価な治療器具等を複数の歯科医院４で共有することができ、各歯科医院４は、低価格で安全な治療器具等を使用することができる。
【実施例】
【００４６】
以下に実施例を挙げて本発明を具体的に説明するが、これにより本発明を限定するものではない。
【００４７】
［実施例１］
PMTC(Professional Mechanical Tooth Cleaning)とは「専門家による機械的歯面清掃」のことで、専門の衛生士によって、機械的にバイオフィルム（微生物によって形成される構造体）を除去し、プラークコントロール及びクリーニングを行うことをいう。
PMTCは、専門の衛生士が次の流れで行う。
１．問診を行う。具体的には、患者の体調を伺い、患者の主訴を聞く。
２．予診を行う。具体的には、患者の口腔内を確認する。その際、手袋、ミラー、エクスプローラ、スリーウェイシリンジ、バキューム等を使用する。
３．染め出しを行う。具体的には、薬剤を使用して、患者の磨き残し及び磨き方のチェックを行う。その際、プラーク染め出し液、プラークライト（もしくはピンセット）、歯鏡を使用する。
４．ブラッシング指導を行う。その際、鏡、歯ブラシ、デンタルフロス、歯間ブラシ、口腔内カメラ等を使用する。
５．歯科用器具による歯石除去（スケーリング）を行う。その際、タオル、プローブ、キュレット、歯鏡、超音波スケーラ、エアスケーラ、バキュームもしくは排唾菅を使用する。
６．専門器具による歯面清掃（PMTC）を行う。その際、研磨剤、チップ、ブラシ、シリコンラバーカップ、ミラー、バキューム、スリーウェイシリンジを使用する。
７．フッ化物の塗布を行う。その際、フッ化物、スリーウェイシリンジ、ピンセット、デンタルフロス、歯ブラシ、汚物入れ、ロール綿、綿球、歯間ブラシ等を使用する。
８．カウンセリング（アフター）を行う。具体的には、口腔内カメラで本日の治療箇所を見せる。
【００４８】
例えば、一回目の治療でブラッシング指導まで終了した場合、次回の治療は、歯石除去からとなる。
そこで、電子カルテに、次回の予約日及び治療内容（診察方針）を入力すると、次回の治療内容（歯石除去等）で使用する治療器材の種類と数が選定され、それと同時に治療器材の種類と数の情報を含む手配情報が作成され、当該手配情報が業者に自動的に配信される（ステップＳ１からＳ３）。治療器材の手配は、少なくとも予約日の前日、前日が休日の場合には二日前までには行う。
具体的に、歯石除去用の治療器材は、タオル、プローブ、キュレット、歯鏡、超音波スケーラ、エアスケーラ、バキュームであり、また、PMTC用の治療器材は、研磨剤、チップ、ブラシ、シリコンラバーカップ、ミラー、バキューム、スリーウェイシリンジである。
そして、手配情報が業者に届くと、歯科医院に配送される治療器材には、必要な処置（滅菌、保守点検等）が行われ、予約日（納品日）に合わせて、治療器材（滅菌された治療器具を封止した滅菌パックと治療材料等）を一つのパッケージ内に封止したパック（滅菌パック入りパック）が作成される（ステップＳ４、Ｓ５）。滅菌パック及びパックは、開封すると、再封止できない構造となっている。また、治療器材の使用期限が表示されている。
予約日には、当該パックが歯科医院に配送される（ステップＳ６）。治療（診察）の際は、このパックを開封して、使用する。使用済み及び／又は使用期限が過ぎた治療器材は、業者に回収される（ステップＳ７）。
なお、使用した治療器材に合わせて業者に支払いをする。支払方法はこの限りでない。
【００４９】
［実施例２］
歯肉（歯茎）から細菌が入り炎症を起こし、そのために歯を支えている組織が壊されていく病気を歯周病という。
歯周病の治療は、歯科医師が次の流れで行う。
１．問診を行う。具体的には、患者の体調を伺い、患者の主訴を聞く。
２．予診を行う。具体的には、患者の口腔内を確認する。その際、手袋、ミラー、エクスプローラ、スリーウェイシリンジ、バキューム等を使用する。
３．ブラッシング指導を行う。その際、鏡、歯ブラシ、デンタルフロス、歯間ブラシ、口腔内カメラ等を使用する。
４．歯周ポケットの測定（プロービング）を行う。その際、プローブ、キュレット、ミラー、プロービングの記録用紙、バキュームもしくは排唾菅、シリンジ等を使用する。
５．歯科用器具による歯石除去（スケーリング）を行う。スケーリング終了後、歯根表面の汚染・軟化されたセメント質や象牙質を除去し、歯幹面を硬く滑沢に仕上げる治療（ルートプレーニング）を行う。その際、タオル、プローブ、キュレット、歯鏡、超音波スケーラ、エアスケーラ、バキュームもしくは排唾菅等を使用する。
６．カウンセリング（アフター）を行う。具体的には、口腔内カメラで本日の治療箇所を見せる。
【００５０】
例えば、一回目の治療でプロービングまで終了した場合、次回の治療は、スケーリング及びルートプレーニングからとなる。
そこで、電子カルテに、次回の予約日及び治療内容（診察方針）を入力すると、次回の治療内容（スケーリング及びルートプレーニング）で使用する治療器材の種類と数が選定され、それと同時に治療器材の種類と数の情報を含む手配情報が作成され、当該手配情報が業者に自動的に配信される（ステップＳ１からＳ３）。
具体的に、スケーリング及びルートプレーニング用の治療器材は、タオル、プローブ、キュレット、歯鏡、超音波スケーラ、エアスケーラ、バキュームもしくは排唾管である。
そして、手配情報が業者に届くと、歯科医院に配送される治療器材には、必要な処置（滅菌、保守点検等）が行われ、予約日（納品日）に合わせて、治療器材（滅菌された治療器具を封止した滅菌パックと治療材料等）を一つのパッケージ内に封止したパック（滅菌パック入りパック）が作成される（ステップＳ４、Ｓ５）。スケーリング及びルートプレーニング用の治療器材である超音波スケーラの必要な処置としては、先端部分と差し込み口の点検を行い、場合によって本体全て交換する。滅菌パック及びパックは、開封すると、再封止できない構造となっている。また、治療器材の使用期限が表示されている。
予約日には、当該パックが歯科医院に配送される（ステップＳ６）。治療（診察）の際は、このパックを開封して、使用する。使用済み及び／又は使用期限が過ぎた治療器材は、業者に回収される（ステップＳ７）。
なお、使用した治療器材に合わせて業者に支払いをする。支払方法はこの限りでない。
【００５１】
［実施例３］
初期の齲蝕の治療で細菌に侵された部分を取り除いた窩洞に、特殊な光を照射することにより固まる複合レジン（高分子化学材料）を詰める作業を複合レジン充填という。
複合レジン充填は、歯科医師が次の流れで行う。
１．問診を行う。具体的には、患者の体調を伺い、患者の主訴を聞く。
２．予診を行う。具体的には、患者の口腔内を確認する。その際、手袋、ミラー、エクスプローラ、スリーウェイシリンジ、バキューム等を使用する。
３．レントゲン撮影を行う。その際、バイトブロック等を使用する。
４．診察を行う。具体的には、レントゲン診査に基づき、ミラーで口腔内診査を行う。その際、手袋、パソコンモニター（シャーカステン）、口腔内カメラ、ピンセット、ミラー、エクスプローラ、ストッパー、プローブ等を使用する。
５．場合に応じて麻酔を行う。その際、Ｘ線写真、モニター、ロールコットン、ピンセット、ミラー、表面麻酔薬、麻酔カートリッジ等を使用する。
６．窩洞形成を行う。その際、ラウンドバー、エアタービン、マイクロモータ、スプーンエキスカベータ、ミラー、バキューム、シリンジ等を使用する。
７．防湿を行う。具体的には、バキュームとシリンジを操作して、ロールコットンを交換する。その際、ロールコットン、ピンセット、シリンジ等を使用する。
８．消毒を行う。具体的には、消毒液を塗布する。その際、ピンセット、アルコール綿球等を使用する。
９．エッチング処理を行う。具体的には、エッチング剤を塗布し、２０秒待ち、エッチング剤を洗浄して、乾燥させる。その際、エッチング剤（注射型）、スリーウェイシリンジ、バキューム等を使用する。
１０．ボンディングを行う。具体的には、ボンディング剤を塗布し、１０秒程光重合させた後、ストリップス類を隣接面におく。その際、ボンディング剤、マイクロブラシ、光重合照射器、セルロイド、ストリップス等を使用する。
１１．シェード合わせを行う。その際、コンポジットレジン（ＣＲ）等を使用する。
１２．レジン充填を行う。具体的には、光を照射し、レジンを硬化させる。その際、光重合照射器、バキューム等を使用する。
１３．研磨仕上げ、交合チェックを行う。その際、咬合紙、ピンセット、仕上げ用バー、ポイント類、バキューム等を使用する。
１４．カウンセリング（アフター）を行う。具体的には、口腔内カメラで本日の治療箇所を見せる。
【００５２】
例えば、一回目の治療でレントゲン撮影を行い、診察まで終了した場合、次回の治療は、窩洞形成からとなる。
そこで、電子カルテに、次回の予約日及び治療内容（診察方針）を入力すると、次回の治療内容（窩洞形成等）で使用する治療器材の種類と数が選定され、それと同時に治療器材の種類と数の情報を含む手配情報が作成され、当該手配情報が業者に自動的に配信される（ステップＳ１からＳ３）。
具体的に、窩洞形成用の治療器材は、ラウンドバー、エアタービン、マイクロモータ、スプーンエキスカベータ、ミラー、バキューム、シリンジ、ロールコットン、ピンセット、アルコール綿球等であり、また、レジン充填用の治療器材は、ボンディング剤、マイクロブラシ、光重合照射器、セルロイド、ストリップス、コンポジットレジン（指定がある場合のみ）、バキューム、咬合紙、ピンセット、仕上げ用バー、ポイント類等である。
そして、手配情報が業者に届くと、歯科医院に配送される治療器材には、必要な処置（滅菌、保守点検等）が行われ、予約日（納品日）に合わせて、治療器材（滅菌された治療器具を封止した滅菌パックと治療材料等）を一つのパッケージ内に封止したパック（滅菌パック入りパック）が作成される（ステップＳ４、Ｓ５）。窩洞形成用の治療器材であるエアタービンの必要な処置としては、滅菌後、カートリッジ、チャック、ネジ穴、注水等の不良がないかを確認する。場合によっては交換する。また、窩洞形成用の治療器材であるマイクロモータの必要な処置としては、滅菌後、チャック、ベアリング、注水、カーボン等の不良がないかを確認する。場合によっては交換する。滅菌パック及びパックは、開封すると、再封止できない構造となっている。また、治療器材の使用期限が表示されている。
予約日には、当該パックが歯科医院に配送される（ステップＳ６）。治療（診察）の際は、このパックを開封して、使用する。使用済み及び／又は使用期限が過ぎた治療器材は、業者に回収される（ステップＳ７）。
なお、使用した治療器材に合わせて業者に支払いをする。支払方法はこの限りでない。
【図面の簡単な説明】
【００５３】
【図１】本実施形態に係る歯科用治療器材の配送システムの構成を示す図である。
【図２】本実施形態に係る歯科用治療器材の配送システムの動作を示すフローチャートである。
【符号の説明】
【００５４】
１      歯科用治療器材の配送システム
２      治療器材
３      業者
３１    情報端末装置
３２    処置装置
４      歯科医院
４１    情報端末装置
４１ａ  入力装置
４１ｂ  制御装置
４１ｃ  通信装置
５      ネットワーク
６      パック
７      配送車
８      回収車
【図１】
2010092145.tif 000003
【図２】
2010092145.tif 000004